(57)【要約】 【課題】  GPS受信部を搭載する撮像装置において、組立性を損なうことなく、撮影電源ON時に撮像装置内部から発生する電気ノイズを十分に遮蔽し、受信精度、受信速度に影響のないGPS受信部を搭載する撮像装置を提供する。【解決手段】  GPSアンテナ部１２ａを表側に搭載し、裏側にGPSアンテナ１２ａから得た測位情報などを算出するための電気素子を、搭載した単独GPS基板１４を有し、前記GPS基板１４と、撮像装置自体を制御するための信号処理基板１３とを、接続する専用フレキ１５を有し、前記GPS基板１４の裏面から側面までを略覆う金属部材１６を有し、前記GPS基板１４と金属部材１５とを、撮像装置の鏡筒ユニット７、液晶表示部９、電池室ユニット２１を保持するための金属保持部材１７にねじで共締め固定することを特徴とする。【選択図】  図４
2013021520.tif 000002
【特許請求の範囲】
【請求項１】
GPSアンテナ部１２ａを表側に搭載し、裏側にGPSアンテナ部１２ａから得た測位情報を算出するための電気素子を、搭載した単独GPS基板１４を有し、
前記GPS基板１４と、撮像装置自体を制御するための信号処理基板１３とを、接続する専用フレキ１５を有し、
前記GPS基板１４の裏面から側面までを覆う金属部材１６を有し、
前記GPS基板１４と金属部材１６とを、撮像装置の鏡筒ユニット７、液晶表示部９、電池室ユニット２１を保持するための金属保持部材１７にねじで共締め固定する
ことを特徴とする撮像装置。
【請求項２】
前記ねじの共締め方向は、GPSアンテナ部１２ａを搭載した側から撮像装置内部に向う方向である
ことを特徴とする請求項１に記載の撮像装置。
【請求項３】
前記GPS基板１４の裏面から側面を覆う金属部材１６において、金属部材１６の側面の端１６ｄの位置が前記GPS基板１４の基板板厚内に収まっている
ことを特徴とする請求項１又は請求項２に記載の撮像装置。
【請求項４】
前記金属部材１６は、撮像装置の電池室ユニット２１、および鏡筒ユニット７に、それぞれ具備されたボス１９、２０と前記金属部材に具備したそれぞれの位置に対応するの穴１６ａ、１６ｂと嵌合状態で配置している
ことを特徴とする請求項１乃至請求項３の何れか１項に記載の撮像装置。
【請求項５】
前記金属部材１６の穴１６ａ、１６ｂは、前記金属部材１６を上側からみた際に、対角線上に配置している
ことを特徴とする請求項１乃至請求項４の何れか１項に記載の撮像装置。
【発明の詳細な説明】
【技術分野】
【０００１】
本発明はGPSを搭載して、受信した測位情報から撮影者及び被写体の位置情報を算出して、利用するための撮像装置に関するものである。 
【背景技術】
【０００２】
近年、デジタルカメラなどの撮像装置にGPS（Global Positioning System）受信部を搭載し、受信した測位情報を、撮影情報の一部として画像に付与し、記録媒体に記録して、利用できる技術がある。
【０００３】
上記撮像装置において、GPS受信部は、受信精度と受信速度をより精度よく、より早く位置情報を確保するために、天空に向ける必要性がある。また、GPS信号を遮蔽しやすいものにGPS受信部を遮られえると、著しく受信性能が低下する。そのため、撮像装置の通常使用時に、上側にGPS受信部を配置することが望ましい。また、GPS受信部は人体が近接すると、人体も誘電体であるために、人体からのノイズの影響によって、受信精度が低下する場合がある。同様にGPSアンテナ付近に電波を遮蔽しやすいもの、例えば金属部材などを配置すると、同様に著しく受信性能が低下する。さらには、撮像装置の撮像部に電源が入ると、内部の信号処理基板等で発生する電気ノイズが、GPS基板に影響を及ぼし、同様にGPSの受信精度、受信速度が低下する場合もある。
【０００４】
そこで、撮影部と把持部と操作部を持つ撮像装置において、使用頻度の高い操作部が撮像装置の上部に配置されていて、その操作部を中心として、把持部と反対側にGPS受信部を配置しているものがある。さらには、操作部は基板上に実装された素子を操作し、GPS受信部をその素子が実装された基板上に実装しているものがある（特許文献１）。
【先行技術文献】
【特許文献】
【０００５】
【特許文献１】特開２０１１−７１７３９号公報
【発明の概要】
【発明が解決しようとする課題】
【０００６】
しかしながら、前述の構成において、操作部を中心として把持部と反対側にGPS受信部を配置している点において、人体からのノイズに対しては考慮されているが、撮像装置内部の信号処理基板から発生する電気ノイズに対しては考慮されていない。さらには、GPS素子と操作用の素子を同一の基板に実装しているため、ひとつの基板にGPS信号以外に、操作用の素子の信号も含まれることになり、内部の電気ノイズが影響してGPSの受信精度、受信速度の低下につながる可能性が挙げられる。
【０００７】
前述のような撮像装置内部から発生する電気ノイズを遮蔽するためには、GPS基板を別途専用に設け、GPS基板に電波ノイズ遮蔽シート等を複数枚貼り付ける対策を実施する場合もあるが、組立性は低下し、コストアップにつながってしまう。
【０００８】
そこで、本発明では、GPS受信部を搭載する撮像装置において、組立性を損なうことなく、撮影電源ON時に撮像装置内部から発生する電気ノイズを十分に遮蔽し、受信精度、受信速度に影響のないGPS受信部を搭載する撮像装置を提供することを目的とする。
【課題を解決するための手段】
【０００９】
上記課題を解決するために、本発明においては、
請求項１に記載の撮像装置において、
GPSアンテナ部１２ａを表側に搭載し、裏側にGPSアンテナ部１２ａから得た測位情報などを算出するための電気素子を搭載した単独GPS基板１４を有し、
前記GPS基板１４と、撮像装置自体を制御するための信号処理基板１３とを、接続する専用フレキ１５を有し、
前記GPS基板１４の裏面から側面までを略覆う金属部材１６を有し、
前記GPS基板１４と金属部材１６とを、撮像装置の鏡筒ユニット７、液晶表示部９、電池室ユニット２１などを保持するための金属保持部材１７にねじで共締め固定することを特徴としている。
さらには、請求項２に記載の撮像装置において、
前記ねじの共締め方向は、GPSアンテナ部１２ａを搭載した表側から撮像装置内部に向う方向であることを特徴としている。
【００１０】
さらには、請求項３に記載の撮像装置において、
前記GPS基板１４の裏面から側面を覆う金属部材１６において、金属部材１６の側面の端１６ｄの位置が前記GPS基板１４の基板板厚内に収まっていることを特徴としている。
さらには、請求項４に記載の撮像装置において、
前記金属部材１６は、撮像装置の電池室ユニット２１、および鏡筒ユニット７に、それぞれ具備されたボス１９、２０と前記金属部材に形成したそれぞれの位置に対応する穴１６ａ、１６ｂと略嵌合状態で配置していることを特徴としている。
【００１１】
さらに、請求項５に記載の撮像装置において
前記金属部材１６の穴１６ａ、１６ｂは、前記金属部材１６を上側からみた際に、略対角線上に配置している。
【発明の効果】
【００１２】
本発明の請求項１によれば、
GPSアンテナ部１２ａを搭載した基板を他のGPS以外の用途に使用する電気素子を実装した基板と一体とせず、単体基板１４とし、専用のフレキ１５で信号処理基板１３と接続することで、GPS信号のみが信号処理基板１３と往来するため、他の電気信号に影響されることがない。
【００１３】
さらには、電気素子を搭載しているGPS基板１４の裏側から側面にかけて、金属部材１６で覆うことで、撮像装置の電源ON時に信号処理基板などから発生する内部の電気ノイズを遮蔽することができる。
【００１４】
そして、GPS基板１４、及び前記金属部材１６を固定するためのねじ止めを撮像装置の鏡筒ユニット７、液晶表示部９、電池室ユニット２１などを保持する金属保持部材１７に共締め固定することで、前記GPS基板１４のグランドパターン１４ａ、１４ｂが前記金属部材１６、さらには前記金属保持部材１７にねじ１８ａ、１８ｂを介して、導通可能となり、電気的に安定した状態になる。
【００１５】
つまり、前記金属部材１６によって、内部信号処理基板等から発生する電気ノイズを遮蔽することができ、また、ねじで共締めすることにより、電気的により安定した状態になるため、GPSの受信精度、受信速度などの性能が低下することがなくなる。
【００１６】
さらには、前述のとおり、GPS基板１４、前記金属部品１６は金属保持部材１７に共締めするだけなので、組立性も向上する。
【００１７】
また、GPS基板１４に搭載したGPSアンテナ部１２ａの付近、特にGPSアンテナ部１２ａを実装したGPS基板１４よりも上側にGPS信号に影響を及ぼす金属部材が配置されていると著しく、受信精度、受信速度が低下する。GPS基板１４を固定するためのねじ１８ａ、１８ｂも金属部品のため影響が懸念される。
【００１８】
しかし、GPSアンテナ部１２ａの搭載している方向から撮像装置の内部に向かって、ねじ１８ａ、１８ｂを締めるような構成にすることで、ねじ１８ａ、１８ｂのねじ部がGPSアンテナ部１２ａ側ではなくなるため、受信精度、受信速度に影響しなくなる。
【００１９】
GPS基板１４の裏側から側面を覆う前記金属部材１６についても、前記金属基板１６の側面側の端１６ｄがGPS基板１４の板厚内に収まることで、前記金属部材１６がGPS基板１４よりもGPSアンテナ部１２ａ側に凸らないため、GPSの受信精度、受信速度に影響はない。
【００２０】
また、本発明の撮像装置において、撮像装置を駆動するための電池を収納する電池室ユニット２１と鏡筒ユニット７は、前述の金属保持部材１７に撮像装置背面からねじにより固定している。電池室ユニット２１及び、鏡筒ユニット７がそれぞれ具備しているボス１９、２０に、前記金属部材１６に開けたそれぞれに対応した穴部１６ａ、１６ｂを上側から嵌める。そして、前記金属保持部材１７に上側からGPS基板１４と共にねじ１８ａ、１８ｂで固定する。前記金属部材１６はGPS基板１４の裏側から側面を覆うために、箱型形状になっており、強度上、剛性が増すことになる。前記金属部材１６に構成した前記穴部１６ａ、１６ｂをそれぞれ電池室ユニット２１、鏡筒ユニット７が具備しているボス１９、２０にまたがって、嵌めこむことで、電池室ユニット２１と鏡筒ユニット７の倒れを防ぐことができ、撮像装置自体の剛性をあげることができる。前記穴部１６ａ、１６ｂが金属部材１６を上側から見たときに、略対角線上に配置していることで、例えば、平行に配置するよりも、位置ずれ量をより少なくすることができる。そのため、電池室ユニット２１と鏡筒ユニット７の倒れ量が、より少なくなり、撮像装置全体の剛性感が向上することになる。
【図面の簡単な説明】
【００２１】
【図１】（ａ）本発明の撮像装置（正面）        （ｂ）本発明の撮像装置（背面）
【図２】本発明の撮像装置の外装カバーを外した斜視図
【図３】（ａ）GPS受信部（表側）        （ｂ）GPS受信部（裏側）
【図４】GPS受信ユニット部分解図
【図５】GPS受信ユニット部正面拡大図
【図６】撮像装置主要ユニット分解斜視図
【図７】金属部材１６付近の上面図
【発明を実施するための形態】
【００２２】
［実施例１］
以下、図面を参照して本発明の実施例１の形態を詳しく説明する。
【００２３】
図１（ａ）、及び（ｂ）は本発明の実施形態であるGPS受信部を搭載した撮像装置であるデジタルカメラ外観図であり、ともに電源ＯＮの状態である。
【００２４】
図１中の１は撮影準備、及び撮影開始を指示するためのレリーズボタン、２はズームレバーであり、光学式変倍機能或いはデジタル式変倍機能において、その倍率を調節操作するためのものである。前記ズームレバー２はレリーズボタン１の中心に対し所定の角度まで回動可能である。３はデジタルカメラの電源のON、OFF機能を持つ電源ボタン、４は様々な撮影モードを切り替えることが可能なモードダイヤルである。５はＡＦ補助光用の窓、６は閃光発光装置、７は鏡筒レンズである。そして、８は撮影したデータを記録するためのメモリーカード挿入口を覆うメモリーカードカバーであるとともに、電池を覆う電池蓋である。電池蓋８はカメラ本体に対して、スライド及び回動動作を行い開閉する。
【００２５】
９は撮影画像の確認・再生、撮影条件等の各種情報を表示するための液晶表示装置である。１０はコネクタカバーであり、各種外部デバイスに接続するために、プリント基板上に実装された端子類を保護する。本実施の形態では、テレビ受信機等の外部映像デバイスに接続するためのアナログビデオ端子、外部直流電源に接続するための電源端子、ＰＣ等に接続するためのデジタル端子のうち少なくとも１つを備えるものとする。そして、１１は回転操作ダイヤルであり、そのまわりに４つの操作ボタン群を備える。操作ボタン群は、中央のボタンと周囲のボタンから構成されており、撮影時や画像再生時に各種設定をする際に使用する。
【００２６】
図１（ａ）、（ｂ）ともに電源ON状態、つまり撮影可能状態であるため、鏡筒レンズ７は繰り出しており、さらに閃光発光装置６は外観に露出し、発光信号により即発光可能な状態に位置している。なお、閃光発光装置６は電源OFF時には垂直下降し、デジタルカメラ内部に収納される。
【００２７】
図２は本発明の撮像装置のフロントカバー、リアカバー、トップカバーを外した状態の斜視図である。図２中の１２はGPS受信部であり、１２ａがGPSアンテナ部である。
【００２８】
前記GPS受信部１２は、GPS衛星から位置と時間のデータを取得する。このデータは、GPS信号処理にて処理され、GPS受信部１２の位置や、その位置における時間を算出する。この撮像装置では、算出された位置情報や時刻情報を撮影した画像データとともに、大容量メモリーカードに書き込む。再生時には、この位置情報や時刻情報を参照することができる。また、現在は画像データにGPS情報が付与されることで、Web上のコンテンツとリンクする等、その利便性はさらに拡大している。
【００２９】
GPSアンテナ部１２ａは鏡筒レンズ７の上側、閃光発光装置６の左側、電池室や信号処理基板１３の右側に配置している。鏡筒レンズ７の上側に配置することで、撮像するときには、右手はレリーズボタン１に人差し指をかけ、左手は撮像装置側面近傍に添えて撮像装置を保持するため、GPS受信部１２を人体で覆うことはなく、人体による影響は少ない。
【００３０】
図３はGPS受信部の斜視図である。図３（ａ）はGPS受信部の表側からの斜視図である。前述のとおり、１２ａはGPSアンテナ部であり、１４がGPSアンテナ部１２ａとその周辺回路のみを実装する基板、１５はGPS基板１４と信号処理基板を接続するためのGPSフレキである。
【００３１】
図３（ｂ）はGPS  受信部をGPS基板１４の裏側からみた斜視図である。GPS基板１４の裏側にはGPS情報を取得するために必要な電気素子１４ｄ、１４ｅが実装されている。そして、前記GPSフレキ１５はGPS基板１４の裏側に配置しているコネクタに差し込まれ、反対側が信号処理基板１３のコネクタ１３ａに差し込まれて、接続される。また、１４ａ及び１４ｂはGPS基板１４のグランドパターン（金属箇所）が露出している位置である。
【００３２】
図４は本発明の実施例１のGPS受信部１２付近の分解斜視図である。
【００３３】
図４中の金属部材１６はGPS基板１４を覆うために、９０度に四辺を曲げた箱型形状で構成し、GPS基板１４の側面まで覆うような形状になっている。１７は鏡筒レンズ７や電池室、閃光発光装置６などを保持するための金属保持部材である。そして、金属保持部材１７の一部を曲げて構成したねじ止め部が１７ａ、１７ｂである。
【００３４】
GPS受信部１２の組立順は、まず、前記金属部材１６を、電池室ユニットに具備されているボス２０と鏡筒ユニット７に具備されているボス１９に、それぞれ勘合する穴１６ａ、１６ｂを嵌めて前記金属部材１６の位置を規制する。
【００３５】
次に、GPSアンテナ部１２が実装されたGPS基板１４を上側から組み立て、ねじ１８ａ、及び１８ｂの2本でそれぞれ共締めする。ここで、１４ｆがGPS基板１４の位置決め穴、であり、１４ｇが回転止め部である。位置決め穴１４ｆは鏡筒ユニット７が具備しているボス１９に勘合し、回転止め部１４ｇは金属板金１６の凸形状部１６ｃに勘合することで、GPS基板１４は位置が規制される。そして、専用GPSフレキ１５は信号処理基板１３上に実装されたコネクタ１３ａに差し込まれて接続される。
【００３６】
このとき、GPS基板１４のねじ穴部の周りは表面、裏面ともに、グランドパターン（金属部分）１４ａ、１４ｂが露出している。そのため、前記ねじ１８ａ、１８ｂのねじ頭の裏側とGPS基板１４の表側のグランドパターン１４ａは接触し、結果導通する。さらに、GPS基板１４の裏側のグランドパターン１４ｂは前記金属部材１６のねじ穴部の周りと面当りし、前記ねじ１８ａ、１８ｂを締めることにより、確実に当接することになり、導通する。
【００３７】
同様に、前記金属部材１６のねじ穴部周りの裏側の面と、金属保持部材１７のねじ止め部１７ａ、１７ｂは、前記ねじ１８ａ、１８ｂを締めることにより、確実に当接することになり、導通する。以上のことから、前記ねじ１８ａ、１８ｂを共締めすることで、前記ねじ１８ａ、１８ｂ、からGPS基板１３、金属部材１６、そして金属保持部材１７とすべて、導通するため電気的に安定することになる。
【００３８】
また、図４のとおり、組立後、前記金属部材１６はGPS基板１４の裏側から側面までを覆うことになり、撮像装置の撮影電源ON時に発生する信号処理基板１３からの電気ノイズに対して、遮蔽することが可能となる。
【００３９】
また、共締めのねじ１８ａ、１８ｂの組立て方向は、GPSアンテナ部１２ａを搭載している表側から撮像装置内部に向かう方向なので、前記ねじ１８ａ、１８ｂのねじ部は、GPSアンテナ部１２ａ近くには存在しないことになり、GPS信号の受信精度、受信速度に影響しない。
【００４０】
さらに、前記金属部材１６とGPS基板１４をねじで共締めするだけなので組立性も容易である。
【００４１】
図５は外装カバーを外した状態の撮像装置のGPS受信部１２の正面拡大図である。
【００４２】
前記金属部材１６はGPS基板１４の裏側から側面までを覆う形状になっているが、図５のとおり、前記金属部材１６の側面の端１６ｄはGPS基板１４の板厚内に収まる形状になっており、GPS基板１４の上面よりもGPSアンテナ１２側に突出しない構成としている。前述のとおり、GPS信号の受信精度、受信速度はGPSアンテナ側に信号を遮蔽する金属部材があると、影響を受け、低下する可能性がある。しかし、本発明の構成とすることで、前記金属部材１６の側面端１６ｄがGPS基板１４の板厚内に収まることで、GPSアンテナ１２ａ側に出ることがない。そのため、GPS信号の受信精度、受信速度に影響しない。
【００４３】
図６は、本発明の実施例の撮像装置の主要ユニットの分解斜視図であり、図７は前記金属部材１６を組立てた上面図である。
【００４４】
電池室ユニット２１は図６のとおり、前記金属保持部材１７に撮像装置背面方向のねじ止めで固定される。鏡筒ユニット７、及び閃光発光装置６も同様である。
【００４５】
その後、図７中の電池室ユニット２１で具備しているボス２０と鏡筒ユニット７で具備しているボス１９のそれぞれに対応した勘合穴１６ａ、１６ｂを有する前記金属部材１６を嵌めて、位置を規制する。前述のように、電池室ユニット２１と鏡筒ユニット７を、固定方向とは別方向、特に垂直方向から前記金属部材１６のように一部品で規制することで、電池室ユニット２１、鏡筒ユニット７のそれぞれの倒れを防止することができる。特に前記金属部材１６は箱型形状であるため、強度は平板状態よりも増している。
【００４６】
さらに、図７のように前記金属部材１６の勘合穴の位置関係を金属部材１６の略対角線上に配置することで、それぞれの位置ずれ量をより少なくすることができる。よって電池室ユニット２１と鏡筒ユニット７の倒れ量が、より少なくなり、撮像装置全体の剛性感が向上することになる。
【００４７】
本発明の閃光発光装置６は閃光する場合においては、図１（ａ）のとおり、光学パネル１３を外観に露出するなど移動可能な装置だが、移動しない閃光発光装置にも本発明は適用可能である。
【符号の説明】
【００４８】
（１２）GPS受信部
（１２ａ）GPSアンテナ部
（１３）信号処理基板
（１３ａ）GPSフレキ接続コネクタ
（１４）GPS基板
（１４ａ）GNDパターン表側
（１４ｂ）GNDパターン裏側
（１４ｃ）GPS電気素子を覆う金属部材
（１４ｄ）GPS電気素子１
（１４ｅ）GPS電気素子２
（１４ｆ）位置決め穴部
（１４ｇ）回転止め形状部
（１５）GPSフレキ
（１６）金属部材
（１６ａ）金属部材の位置決め穴部
（１６ｂ）金属部材の回転止め穴部
（１６ｃ）凸形状部
（１６ｄ）側面端部
（１７）金属保持部材
（１７ａ）保持部材のねじ止め部１
（１７ｂ）保持部材のねじ止め部２
（１８）共締め用ねじ
（１８ａ）ねじ１
（１８ｂ）ねじ２
（１９）鏡筒ユニットのボス
（２０）電池室ユニットのボス
（２１）電池室ユニット
【図１】
2013021520.tif 000003
【図２】
2013021520.tif 000004
【図３】
2013021520.tif 000005
【図４】
2013021520.tif 000006
【図５】
2013021520.tif 000007
【図６】
2013021520.tif 000008
【図７】
2013021520.tif 000009